(57)【特許請求の範囲】
【請求項１】
１ラインが１７２バイトのデータからなる１２ラインから構成され、先頭にセクタＩＤが含まれている１６個のセクタと、
１ラインが１０バイトからなる１２ラインから構成され、前記セクタ毎に、前記ラインに沿った横方向に付与される横方向のエラー訂正コードと、
１ラインが１８２バイトからなる、１６ラインで構成され、１６個のセクタに、前記ラインと直交する縦方向に付与されたエラー訂正コードで、１６ラインのうちの１ラインずつが１個の前記セクタに対応する縦方向のエラー訂正コードと、
を有し、全体として、１ラインが１８２バイトからなる、２０８ラインで構成され、記録及び再生の単位として取扱われるＥＣＣブロックのフォーマットデータを生成する生成手段と、
同心円状又はスパイラル状のグルーブとランドとが交互に構成される記録トラックの所定長からなる領域であって、所定のデータが記録されるデータ領域を含む複数のセクタ領域からなる記録領域、並びに複数の前記セクタ領域の集りからなる光ディスクの、前記記録領域の１６個の前記セクタ領域の前記データ領域に対して、前記セクタ、このセクタに付与された前記横方向のエラー訂正コード、及びこのセクタを構成する１２ラインのうちの最終ラインの後に付与される前記縦方向のエラー訂正コードのうちのこのセクタに対応した１ライン、により形成されるセクタデータを１６個記録し、かつ９１バイトごとのデータにバイト同期を取るための２バイトの同期コードを記録することにより、前記生成手段により生成された前記ＥＣＣブロックのフォーマットデータの記録を行う記録手段と、
を備えたことを特徴とする光ディスク装置。
【請求項２】
１ラインが１７２バイトのデータからなる１２ラインから構成され、先頭にセクタＩＤが含まれている１６個のセクタと、
１ラインが１０バイトからなる１２ラインから構成され、前記セクタ毎に、前記ラインに沿った横方向に付与される横方向のエラー訂正コードと、
１ラインが１８２バイトからなる、１６ラインで構成され、１６個のセクタに、前記ラインと直交する縦方向に付与されたエラー訂正コードで、１６ラインのうちの１ラインずつが１個の前記セクタに対応する縦方向のエラー訂正コードと、
を有し、全体として、１ラインが１８２バイトからなる、２０８ラインで構成され、記録及び再生の単位として取扱われるＥＣＣブロックのフォーマットデータが定義され、
同心円状又はスパイラル状のグルーブとランドとが交互に構成される記録トラックの所定長からなる領域であって、所定のデータが記録されるデータ領域を含む複数のセクタ領域からなる記録領域、並びに複数の前記セクタ領域の集りからなる光ディスクの、前記記録領域の１６個の前記セクタ領域の前記データ領域に対して、前記セクタ、このセクタに付与された前記横方向のエラー訂正コード、及びこのセクタを構成する１２ラインのうちの最終ラインの後に付与される前記縦方向のエラー訂正コードのうちのこのセクタに対応した１ライン、により形成されるセクタデータを１６個記録し、かつ９１バイトごとのデータにバイト同期を取るための２バイトの同期コードを記録することにより、前記ＥＣＣブロック単位のデータが記録される光ディスクを再生することを特徴とする光ディスク装置。
【発明の詳細な説明】
【０００１】
【発明の属する技術分野】
この発明は、たとえば同心円状あるいはスパイラル状のグルーブおよびランドの記録トラックを有する光ディスクに対して、それらのグルーブおよびランドの両方にデータが記録され、その記録されたデータを再生する光ディスク装置に関する。
【０００２】
【従来の技術】
近年、案内溝（グルーブ）および案内溝間の平坦部（ランド）の両方にデータを記録し、あるいは記録されているデータを再生する光ディスクが提案されている（特公昭６３−５７８９５号公報参照）。
【０００３】
これに対して、同心円状あるいはスパイラル状のグルーブおよびランドの記録トラックを有する光ディスクに対して、それらのグルーブおよびランドの両方にＥＣＣブロックデータ単位でデータが記録され、その記録されたデータをＥＣＣブロックデータ単位で再生するものが要望されている。
【０００５】
【発明が解決しようとする課題】
この発明は、同心円状あるいはスパイラル状のグルーブおよびランドの記録トラックを有する光ディスクに対して、それらのグルーブおよびランドの両方にＥＣＣブロックデータ単位でデータが記録され、その記録されたデータをＥＣＣブロックデータ単位で再生することができる光ディスク装置を提供することを目的とする。
【０００６】
【課題を解決するための手段】
この発明の光ディスク装置は、１ラインが１７２バイトのデータからなる１２ラインから構成され、先頭にセクタＩＤが含まれている１６個のセクタと、１ラインが１０バイトからなる１２ラインから構成され、前記セクタ毎に、前記ラインに沿った横方向に付与される横方向のエラー訂正コードと、１ラインが１８２バイトからなる、１６ラインで構成され、１６個のセクタに、前記ラインと直交する縦方向に付与されたエラー訂正コードで、１６ラインのうちの１ラインずつが１個の前記セクタに対応する縦方向のエラー訂正コードと、を有し、全体として、１ラインが１８２バイトからなる、２０８ラインで構成され、記録及び再生の単位として取扱われるＥＣＣブロックのフォーマットデータを生成する生成手段と、同心円状又はスパイラル状のグルーブとランドとが交互に構成される記録トラックの所定長からなる領域であって、所定のデータが記録されるデータ領域を含む複数のセクタ領域からなる記録領域、並びに複数の前記セクタ領域の集りからなる光ディスクの、前記記録領域の１６個の前記セクタ領域の前記データ領域に対して、前記セクタ、このセクタに付与された前記横方向のエラー訂正コード、及びこのセクタを構成する１２ラインのうちの最終ラインの後に付与される前記縦方向のエラー訂正コードのうちのこのセクタに対応した１ライン、により形成されるセクタデータを１６個記録し、かつ９１バイトごとのデータにバイト同期を取るための２バイトの同期コードを記録することにより、前記生成手段により生成された前記ＥＣＣブロックのフォーマットデータの記録を行う記録手段とから構成されている。
【０００７】
この発明の光ディスク装置は、１ラインが１７２バイトのデータからなる１２ラインから構成され、先頭にセクタＩＤが含まれている１６個のセクタと、１ラインが１０バイトからなる１２ラインから構成され、前記セクタ毎に、前記ラインに沿った横方向に付与される横方向のエラー訂正コードと、１ラインが１８２バイトからなる、１６ラインで構成され、１６個のセクタに、前記ラインと直交する縦方向に付与されたエラー訂正コードで、１６ラインのうちの１ラインずつが１個の前記セクタに対応する縦方向のエラー訂正コードと、を有し、全体として、１ラインが１８２バイトからなる、２０８ラインで構成され、記録及び再生の単位として取扱われるＥＣＣブロックのフォーマットデータが定義され、同心円状又はスパイラル状のグルーブとランドとが交互に構成される記録トラックの所定長からなる領域であって、所定のデータが記録されるデータ領域を含む複数のセクタ領域からなる記録領域、並びに複数の前記セクタ領域の集りからなる光ディスクの、前記記録領域の１６個の前記セクタ領域の前記データ領域に対して、前記セクタ、このセクタに付与された前記横方向のエラー訂正コード、及びこのセクタを構成する１２ラインのうちの最終ラインの後に付与される前記縦方向のエラー訂正コードのうちのこのセクタに対応した１ライン、により形成されるセクタデータを１６個記録し、かつ９１バイトごとのデータにバイト同期を取るための２バイトの同期コードを記録することにより、前記ＥＣＣブロック単位のデータが記録される光ディスクを再生するものである。
【００１７】
【発明の実施の形態】
以下、この発明の一実施例について図面を参照して説明する。
図１は、スタンパを作成する際のガラス原盤を作成（マスタリング工程）するカッテング装置を示すものである。図１において、カッテング装置は、再生専用の光ディスク（ＣＤ−ＲＯＭ）に対するガラス原盤を作成する際、凹凸の無いガラス基板１ａ上にフォトレジストが塗布された状態で、レーザパワーのオン、オフによりフォトレジストを溶融することにより、微小な凹形状の記録マーク（ピット）を形成するようになっている。
【００１８】
また、カッテング装置は、記録、再生用の光ディスク（ＲＡＭ）に対するガラス原盤を作成する際、記録トラックとしての凹凸の有るガラス基板１ｂ上にフォトレジストが塗布された状態で、トラックの凹部（グルーブ）に対応してレーザパワーのオン、オフによりフォトレジストを溶融することにより、微小な凹形状の記録マーク（ピット）を形成するようになっている。
【００１９】
また、カッテング装置は、記録、再生用の光ディスク（ＲＡＭ）に対するガラス原盤を作成する際、記録トラックとしての凹凸の有るガラス基板１ｃ上にフォトレジストが塗布された状態で、トラックの凹部（グルーブ）および凸部（ランド）に対応してレーザパワーのオン、オフによりフォトレジストを溶融することにより、微小な凹形状の記録マーク（ピット）を形成するようになっている。
【００２０】
図１において、フォトレジストが塗布されたガラス基板１ａ（１ｂ、１ｃ）は、モータ３によって例えば一定の速度で回転される。このモータ３は、モータ制御回路４によって制御されている。
【００２１】
ガラス基板１ａ（１ｂ、１ｃ）へのカッティング処理は、光学ヘッド５によって行われる。この光学ヘッド５は、リニアモータ６の可動部を構成する駆動コイル７に固定されており、この駆動コイル７はリニアモータ制御回路８に接続されている。
【００２２】
このリニアモータ制御回路８には、速度検出器９が接続されており、この速度検出器９の速度信号はリニアモータ制御回路８に送るようになっている。
また、リニアモータ６の固定部には、図示しない永久磁石が設けられており、駆動コイル７がリニアモータ制御回路８によって励磁されることにより、光学ヘッド５は、ガラス基板１ａ（１ｂ、１ｃ）の半径方向に移動されるようになっている。
【００２３】
光学ヘッド５には、対物レンズ１０が図示しないワイヤあるいは板ばねによって保持されており、この対物レンズ１０は、駆動コイル１２によってフォーカシング方向（レンズの光軸方向）に移動され、駆動コイル１１によってトラッキング方向（レンズの光軸と直交方向）に移動可能とされている。
【００２４】
また、レーザ制御回路１３によって駆動される半導体レーザ発振器（あるいはアルゴンネオンレーザ発振器）１９より発生されたレーザ光は、コリメータレンズ２０、ハーフプリズム２１、対物レンズ１０を介してガラス基板１ａ（１ｂ、１ｃ）上に照射され、このガラス基板１からの反射光は、対物レンズ１０、ハーフプリズム２１、集光レンズ２２、およびシリンドリカルレンズ２３を介して光検出器２４に導かれる。
【００２５】
光検出器２４は、４分割の光検出セル２４ａ、２４ｂ、２４ｃ、２４ｄによって構成されている。
光検出器２４の光検出セル２４ａの出力信号は、増幅器２５ａを介して加算器２６ａ、２６ｄの一端に供給され、光検出セル２４ｂの出力信号は、増幅器２５ｂを介して加算器２６ｂ、２６ｃの一端に供給され、光検出セル２４ｃの出力信号は、増幅器２４ｃを介して加算器２６ａ、２６ｃの他端に供給され、光検出セル２４ｄの出力信号は、増幅器２５ｄを介して加算器２６ｂ、２６ｄの他端に供給されるようになっている。
【００２６】
加算器２６ａの出力信号は差動増幅器ＯＰ２の反転入力端に供給され、この差動増幅器ＯＰ２の非反転入力端には加算器２６ｂの出力信号が供給される。これにより、差動増幅器ＯＰ２は、加算器２６ａ、２６ｂの差に応じてフォーカス点に関する信号をフォーカシング制御回路２７に供給するようになっている。このフォーカシング制御回路２７の出力信号は、フォーカシング駆動コイル１２に供給され、レーザ光がガラス基板１ａ（１ｂ、１ｃ）上で常時ジャストフォーカスとなるように制御される。
【００２７】
加算器２６ｄの出力信号は差動増幅器ＯＰ１の反転入力端に供給され、この差動増幅器ＯＰ１の非反転入力端には加算器２６ｃの出力信号が供給される。これにより、差動増幅器ＯＰ１は、加算器２６ｄ、２６ｃの差に応じてトラック差信号をトラッキング制御回路２８に供給するようになっている。トラッキング制御回路２８は、差動増幅器ＯＰ１から供給されるトラック差信号に応じてトラック駆動信号を作成するものである。ただし、ガラス基板１ａに対しては、ＣＰＵ３０から供給される制御信号に応じてトラック駆動信号を作成するものである。
【００２８】
トラッキング制御回路２８から出力されるトラック駆動信号は、トラッキング方向の駆動コイル１１に供給される。また、トラッキング制御回路２８で用いられたトラック差信号はリニアモータ制御回路８に供給されるようになっている。
【００２９】
駆動コイル１１にトラック駆動信号が供給されることにより、ガラス基板１ｂ（１ａ）が１回転する間に、対物レンズ１０が徐々に移動してグルーブ（記録マーク列）からグルーブ（記録マーク列）へ１トラック分移動したり、あるいはガラス基板１ｃが１回転する間に、対物レンズ１０が徐々に移動してグルーブからグルーブ、あるいはランドからランドへ１トラック分移動するようになっている。
【００３０】
また、トラッキング制御回路２８で対物レンズ１０が移動されている際、リニアモータ制御回路８は、対物レンズ１０が光学ヘッド５内の中心位置近傍に位置するようにリニアモータ６つまり光学ヘッド５を移動するようになっている。
【００３１】
また、レーザ制御回路１３の前段にはデータ生成回路１４が設けられている。このデータ生成回路１４には、後述するエラー訂正回路３２から供給される図２に示すような、記録データとしてのＥＣＣブロックのフォーマットデータを、図３に示すように、ＥＣＣブロック用の同期コードを付与した記録用のＥＣＣブロックのフォーマットデータに変換するＥＣＣブロックデータ生成回路１４ａと、このＥＣＣブロックデータ生成回路１４ａからの記録データを８−１５コード変換方式等で変換（変調）する変調回路１４ｂとを有している。
【００３２】
ＥＣＣブロック用の同期コードは、図３に示すように、「０１００００００００００００００  ０１００×××××××００１００」の２バイト構成となっており、「１７５、２４０」を８−１５コードに変換したものである。このＥＣＣブロック用の同期コードは、ＩＤ検知用の同期コードと異なったものとなっている。
【００３３】
図３に示すＥＣＣブロックのフォーマットデータは、実際に光ディスクに記録されるフォーマットであり、図２に示すＥＣＣブロックのフォーマットデータの各セクタの記録データにセクタＩＤと横方向のＥＣＣからなる１８２バイトで１２行のものに対して、９１バイト単位で２バイトの同期コードを付与し、この９１バイト単位の１２行のものに対する縦方向のＥＣＣに対して、２バイトの同期コードを付与して構成されるようになっている。
【００３４】
データ生成回路１４には、エラー訂正回路３２によりエラー訂正符号（ＥＣＣ）が付与された記録データが供給されるようになっている。エラー訂正回路３２には外部装置としての制御装置４６からの記録データがインターフェース回路４５およびバス２０を介して供給されるようになっている。
【００３５】
エラー訂正回路３２は、制御装置４６から供給される３２Ｋバイトの記録データを２Ｋバイトごとのセクタ単位の記録データに対する横方向と縦方向のそれぞれのエラー訂正符号（ＥＣＣ１、ＥＣＣ２）を付与するとともに、セクタＩＤを付与し、図３に示すような、ＥＣＣブロックフォーマットデータを生成するようになっている。
【００３６】
また、このカッテング装置にはそれぞれフォーカシング制御回路２７、トラッキング制御回路２８、リニアモータ制御回路８とＣＰＵ３０との間でデータの授受を行うために用いられるＤ／Ａ変換器３１が設けられている。
【００３７】
レーザ制御回路１３、フォーカシング制御回路２７、トラッキング制御回路２８、リニアモータ制御回路８、モータ制御回路４、記録信号作成回路１４等は、バスライン２９を介してＣＰＵ３０によって制御されるようになっており、このＣＰＵ３０は操作パネル３４からのカッテング開始の指示およびメモリ３３に記憶されたプログラムによって所定の動作を行うようになされている。
【００３８】
上記したようなカッティング装置により、ガラス基板１ａのフォトレジストが全面に対する記録データに応じて溶融されることによりカッティング処理が終了した後、現像と導電化処理を行い、ガラス原盤を作成する。このガラス原盤を用いて、ニッケル等により構成されるスタンパを電気メッキ等を用いて作成する。
【００３９】
このスタンパを用いて、射出成形法等で再生専用の光ディスク５１を作成する。
また、カッティング装置により、ガラス基板１ｂのフォトレジストが全面に対する記録データに応じて溶融されることによりカッティング処理が終了した後、現像と導電化処理を行い、ガラス原盤を作成する。このガラス原盤を用いて、ニッケル等により構成されるスタンパを電気メッキ等を用いて作成する。
【００４０】
このスタンパを用いて、射出成形法等で記録、再生用でグルーブのみにデータが記録される光ディスク（ＲＡＭ）５２を作成する。
また、カッティング装置により、ガラス基板１ｃのフォトレジストが全面に対する記録データに応じて溶融されることによりカッティング処理が終了した後、現像と導電化処理を行い、ガラス原盤を作成する。このガラス原盤を用いて、ニッケル等により構成されるスタンパを電気メッキ等を用いて作成する。
【００４１】
このスタンパを用いて、射出成形法等で記録、再生用でグルーブとランドにデータが記録される光ディスク（ＲＡＭ）５３を作成する。
再生専用の光ディスク５１には、図４の（ａ）（ｂ）に示すように、データに対応した微小な凹形状の記録マーク（ピット）を形成するようになっている。記録マークとしてのピットの部分がグルーブに対応し、それ以外の部分がランドに対応している。再生専用の光ディスク５１では、図５に示すように、上述したＥＣＣブロックデータ単位（たとえば３８６８８バイト）でデータが記録されており、最内周のＥＣＣブロックデータとしてディスク識別データが記録されている。ディスク識別データとしては、グルーブのみにデータが記録されているものか、ランドとグルーブの両方にデータが記録されているものかを判断できるデータ、記録／再生すべきアドレスがランドとグルーブのいずれにあるか判断できるデータなどが記録されるようになっている。
【００４２】
また、各ＥＣＣブロックデータごとに、ＥＣＣブロックアドレス（たとえば６６バイト）が付与されている。ＥＣＣブロックアドレスは、図６に示すように、１２バイトの同期コード部ＶＦＯ１、８バイトずつの２つの同期コード部ＶＦＯ２、１２バイトの同期コード部ＶＦＯ３、２バイトずつのＩＤ検知用の同期コード、５バイトずつの３つのアドレス部ＩＤ、１バイトのポストアンブルＰＡの各エリアによって構成されている。
【００４３】
同期コード部ＶＦＯのエリアには、ＰＬＬロック用の連続データパターン（同期コード）が記録される。ＩＤ検知用の同期コードは、「０１００００００００００００００  ０１００×××××××０００１０」となっており、「１１９、１２５、１２８、１３２、１３８、１４４、１５２、１５８、１６４、１６７、１７１」を８−１５コードに変換したものである。このＩＤ検知用の同期コードは、ＥＣＣブロックデータ内の同期コードと異なったものとなっている。アドレス部ＩＤのエリアには、２３ビットを用いてＥＣＣブロック番号等のＩＤが記録され、最上位ビット（ＭＳＢ）で対応するＥＣＣブロックが書換え可能か書換え不能かを示すフラグが記録され、２バイトの誤り訂正コード（ＣＲＣ）が記録される。ＥＣＣブロックが書換え可能な場合、最上位ビット（ＭＳＢ）には“０“が記録され、書換え不可の場合、最上位ビット（ＭＳＢ）には“１“が記録される。ポストアンブルＰＡは、アドレス部ＩＤの誤り訂正コードが２バイトで収まらない時に用いる。
【００４４】
記録、再生用の光ディスク（ＲＡＭ）５３は、図７に示すように、最内周のグルーブにＥＣＣブロックデータとしてディスク識別データが記録され、この最内周のＥＣＣブロックデータに対応するランドにはデータの記録が禁止されるようになっている。以後、ＥＣＣブロックデータの記録エリア（たとえば３８６８８＋１２バイト）ごとに、図８に示すように、ヘッダ部のプリフォーマットデータ（たとえば５４バイト）がグルーブとランドの境目に形成されるようになっている。それ以外の部分では、図９の（ａ）（ｂ）に示すように、グルーブとランドのそれぞれに記録マークとしての記録データが記録されるようになっている。
【００４５】
ディスク識別データとしては、グルーブのみにデータが記録されているものか、ランドとグルーブの両方にデータが記録されているものかを判断できるデータ、記録／再生すべきアドレスがランドとグルーブのいずれにあるか判断できるデータなどが記録されるようになっている。
【００４６】
ヘッダ部は、上述のＥＣＣブロックアドレスに対応している（図６参照）。ただし、１２バイトの同期コード部ＶＦＯ３には、ＥＣＣブロックデータの記録に先だって記録され、再生時にその記録した同期コードでＰＬＬを補正するようになっている。
【００４７】
記録、再生用の光ディスク（ＲＡＭ）５２は、最内周のグルーブにＥＣＣブロックデータとしてディスク識別データが記録されるようになっている。以後、ＥＣＣブロックデータの記録エリア（たとえば３８６８８＋１２バイト）ごとに、図８に示すように、ヘッダ部のプリフォーマットデータ（たとえば５４バイト）がグルーブに形成されるようになっている。
【００４８】
ディスク識別データとしては、グルーブのみにデータが記録されているものか、ランドとグルーブの両方にデータが記録されているものかを判断できるデータ、記録／再生すべきアドレスがランドとグルーブのいずれにあるか判断できるデータなどが記録されるようになっている。
【００４９】
ヘッダ部は、上述のＥＣＣブロックアドレスに対応している（図６参照）。ただし、１２バイトの同期コード部ＶＦＯ３には、ＥＣＣブロックデータの記録に先だって記録され、再生時にその記録した同期コードでＰＬＬを補正するようになっている。
【００５０】
次に、再生専用の光ディスク（ＣＤ−ＲＯＭ）５１からデータを再生したり、あるいは記録、再生用の光ディスク５２、５３にデータを記録したり、その記録されているデータを再生する光ディスク装置について図１０を用いて説明する。カッティング装置とほぼ同じ構成なので、同じ部分については同一符号を付し、説明を省略する。
【００５１】
すなわち、フォーカシング、トラッキングを行った状態での光検出器２４の各光検出セル２４ａ、〜２４ｄの出力の和信号、つまり加算器２６ｅからの出力信号は、トラックのグルーブとランド上に形成されたピット（記録データ）からの反射率の変化が反映されている。この信号は、データ再生回路１８に供給され、このデータ再生回路１８において、記録する目的のＩＤのＥＣＣブロックに対するアクセス許可信号が出力されたり、再生する目的のＩＤのＥＣＣブロックに対する再生データが出力されるようになっている。
【００５２】
このデータ再生回路１８で再生された再生データはエラー訂正回路３２で付与されているエラー訂正符号ＥＣＣを用いてエラー訂正を行った後、インターフェース回路３５を介して外部装置としての光ディスク制御装置３６に出力されるようになっている。
【００５３】
データ再生回路１８は、図１１に示すように、比較回路６１、ヘッダ同期コード検出回路６２、ヘッダ読取回路６３、ＥＣＣブロック同期コード検出回路６４、およびデータ読取回路６５によって構成されている。
【００５４】
比較回路６１は、加算器２６ｅからの光検出器２４の各光検出セル２４ａ、〜２４ｄの出力の和信号、つまりトラックのグルーブとランド上に形成されたピット（記録データ）からの反射率の変化を、基準信号と比較することにより、２値化する回路である。この比較回路６１の２値化信号は、ヘッダ同期コード検出回路６２、ヘッダ読取回路６３、ＥＣＣブロック同期コード検出回路６４、およびデータ読取回路６５に供給される。
【００５５】
ヘッダ同期コード検出回路６２は、比較回路６１からの２値化データによりヘッダのＩＤ検知用の同期コード「０１００００００００００００００  ０１００×××××××０００１０」を検出する回路である。このヘッダ同期コード検出回路６２の検出信号は、ヘッダ読取回路６３に供給される。
【００５６】
ヘッダ読取回路６３は、ヘッダ同期コード検出回路６２からの検出信号に応じてアドレス部ＩＤの読取りを行い、外部装置としての光ディスク制御装置３６から供給されているアクセスするＩＤとが一致した際、アクセス許可信号を出力するようになっている。ヘッダ読取回路６３のアクセス許可信号はＥＣＣブロック同期コード検出回路６４、データ読取回路６５、およびデータ生成回路１４に供給される。
【００５７】
ＥＣＣブロック同期コード検出回路６４は、ヘッダ読取回路６３からのアクセス許可信号が供給された後、ＥＣＣブロックに対応するバイト数分、比較回路６１からの２値化データによりＥＣＣブロック用の同期コード「０１００００００００００００００  ０１００×××××××００１００」を検出する回路である。このＥＣＣブロック同期コード検出回路６４の検出信号は、データ読取回路６５に供給される。
【００５８】
データ読取回路６５は、ヘッダ読取回路６３からのアクセス許可信号が供給された後、ＥＣＣブロック同期コード検出回路６４からの検出信号が供給されるごとに、その後に続けて供給される９１バイトのデータを再生データとして読取る回路である。このデータ読取回路６５からの再生データは、図示しない復調回路により８−１５コードの逆変換により復調してエラー訂正回路３２へ供給される。
【００５９】
レーザ制御回路１３は、対象とする光ディスクに応じてレーザ光の強度を変更するようになっている。
データ生成回路１４は、データ記録時、ヘッダ読取回路６３からのアクセス許可信号に応じて記録データをレーザ制御回路１３へ出力するようになっている。
【００６０】
トラッキング制御回路２８は、図１２に示すように、切換スイッチ７１、極性反転回路７２、位相補償回路７３、および駆動回路７４によって構成されている。
【００６１】
切換スイッチ７１は、ＣＰＵ３０からのトラッキング極性切換信号（ランド／グルーブ切換信号）により切換わるものであり、トラッキング極性切換信号の極性がグルーブの場合、差動増幅器ＯＰ１からのトラックエラー信号を位相補償回路７３へ出力し、トラッキング極性切換信号の極性がランドの場合、極性反転回路７２により極性が反転されたトラックエラー信号を位相補償回路７３へ出力するものである。
【００６２】
極性反転回路７３は、差動増幅器ＯＰ１から供給されるトラックエラー信号の極性を反転（逆相）するものであり、その出力は切換スイッチ７２に供給される。
【００６３】
位相補償回路７３は、切換スイッチ７１から供給される正極性（正相）のトラックエラー信号あるいは逆極性（逆相）のトラックエラー信号の位相を補償し、駆動回路７４へ出力するものである。
【００６４】
駆動回路７４は、位相補償回路７３からのトラック駆動信号により、駆動コイル１１を駆動することにより、対物レンズ１０をトラッキング方向へ移動するものである。
【００６５】
次に、上記のような構成において、光ディスク５１、５２、５３のいずれかが装填された際の処理について、図１３に示すフローチャートを参照しつつ説明する。
【００６６】
すなわち、図示しない装填機構により光ディスクが装填された際、ＣＰＵ３０はモータ制御回路４によりモータ３を駆動制御することにより、光ディスク５１（５２、５３）が所定の回転数で回転される。
【００６７】
そして、光学ヘッド３を初期位置としての光ディスク５１（５２、５３）の最内周部に対向する位置に移動し、フォーカス引き込み処理を行う。すなわち、ＣＰＵ３０によりレーザ制御回路１３に再生制御信号を出力することにより、レーザ駆動回路１３により光学ヘッド５内の半導体レーザ発振器１９からの再生用のレーザビームが対物レンズ１０を介して光ディスク上に照射される。光ディスク５１（５２、５３）から反射されたレーザビームが対物レンズ１０、２１、２２、２３を介して光検出器２４に導かれる。すると、差動増幅器ＯＰ２により光検出器２４の検出セル２４ａ、２４ｃの和信号と光検出器２４の検出セル２４ｂ、２４ｄの和信号との差によりフォーカッシング信号が得られ、フォーカッシング制御回路２７へ出力される。これにより、フォーカッシング制御回路２７は供給されるフォーカッシング信号により駆動コイル１２を励磁することにより、対物レンズ１０を移動することにより、光ディスク５１（５２、５３）に照射されるレーザビームのフォーカッシングが行われる。
【００６８】
また、このフォーカス引き込み処理が行われた状態で、光検出器２４の検出セル２４ａ、２４ｄの和信号と光検出器２４の検出セル２４ｂ、２４ｃの和信号との差を差動増幅器ＯＰ１でトラックエラー信号としてトラッキング制御回路２８に供給される。この際、ＣＰＵ３０によりトラッキング制御回路２８にグルーブに対するトラッキング極性信号が供給されているため、差動増幅器ＯＰ１からのトラックエラー信号はそのまま切換スイッチ７１を介して位相補償回路７３に出力される。位相補償回路７３は供給されるトラックエラー信号の位相補償を行い、駆動信号として駆動回路７４に出力される。
【００６９】
駆動回路３６は、供給される駆動信号に応じて駆動コイル１１により対物レンズ１０を移動することにより、対物レンズ１０を介して光ディスク５１（５２、５３）に照射されるレーザビームの微小移動に対するトラッキング補正が行われる。
【００７０】
したがって、光ディスク５１（５２、５３）の最内周部に光学ヘッド５によるレーザビームが照射される。
この状態において、最内周のトラック上のデータの読取信号がデータ再生回路１８内の比較回路６２で２値化され、ヘッダ同期コード検出回路６２、ヘッダ読取回路６３、ＥＣＣブロック同期コード検出回路６４、およびデータ読取回路６５に供給される。
【００７１】
ヘッダ同期コード検出回路６２によりヘッダ同期コードが検出された際、ヘッダ読取回路６３でアドレス部ＩＤの読取りを行い、外部装置としての光ディスク制御装置３６から供給されているアクセスするディスク識別データのアドレスＩＤと一致した際、アクセス許可信号をＥＣＣブロック同期コード検出回路６４、データ読取回路６５に出力する。
【００７２】
ついで、ＥＣＣブロック同期コード検出回路６４によりＥＣＣブロックの同期コードが検出されるごとに、データ読取回路６５はその後に続けて供給される９１バイトのデータを再生データとして読取り、図示しない復調回路により８−１５コードの逆変換により復調してエラー訂正回路３２へ出力する。
【００７３】
なお、光ディスク５１の場合、ヘッダ同期コード検出回路６２、ヘッダ読取回路６３を用いずに、ＥＣＣブロック同期コード検出回路６４によりＥＣＣブロックの同期コードが検出されるごとに、データ読取回路６５はその後に続けて供給される９１バイトのデータを再生データとして読取るようにしても良い。この場合、ＥＣＣブロックアドレスが不要である。
【００７４】
エラー訂正回路３２は、供給される再生データに対して付与されているエラー訂正符号ＥＣＣを用いてエラー訂正を行った後、インターフェース回路３５を介して外部装置としての光ディスク制御装置３６に出力する。
【００７５】
この結果、ディスク識別データが光ディスク制御装置３６に供給される。
光ディスク制御装置３６は、供給されるディスク識別データにより、装填された光ディスクが、再生専用の光ディスク５１か、記録、再生用でグルーブのみにデータが記録される光ディスク（ＲＡＭ）５２か、記録、再生用でグルーブとランドにデータが記録される光ディスク（ＲＡＭ）５３かを判別するとともに、光ディスク５３と判別した際に、アクセス位置がグルーブかランドかを判別し、それらの判別結果と記録あるいは再生（アクセス）するアドレスＩＤとをインターフェース回路３５を介してＣＰＵ３０へ出力する。
【００７６】
また、ＣＰＵ３０は、光ディスク制御装置３６からアクセス位置がランドであるという判別結果が供給された場合だけ、トラッキング制御回路２８に出力するトラッキング極性信号をランドに対するものに変更する。これにより、切換スイッチ７１が切換り、差動増幅器ＯＰ１からのトラックエラー信号が極性反転回路７２で反転されて位相補償回路７３に出力される。この結果、トラッキング制御回路２８によりランドに合わせた極性（逆相）でレーザビームの微小移動に対するトラッキング補正が行われる。
【００７７】
上記のようなトラッキングが行われている状態で、データの記録再生動作が行われる。
上記したように、グルーブおよびランドの両方を用いてデータの記録あるいは記録されているデータの再生が行われる書換え形の光ディスクと読出し専用の光ディスクの最内周に、光ディスクの特徴に関するディスク識別データをあらかじめ記録しておくようにしたものである。
【００７８】
これにより、グルーブおよびランドの両方を用いてデータの記録あるいは記録されているデータの再生が行われ、マスタリング工程で記録マークにより所定間隔ごとにアドレスデータが記録される書換え形の光ディスクと、マスタリング工程で記録される記録マークによりデータが記録される読出し専用の光ディスクのいずれをも扱うことができ、しかも、いずれの光ディスクであるかを正しくかつ素早く識別することが可能となる。
【００７９】
また、書換え形の光ディスクにマスタリング工程でディスク識別データを記録しておく場合は、グルーブのみに記録し、トラッキングが正常にできるようにし、またこの場合グルーブにディスク識別データがマスタリング記録されている領域のランドは記録不可としている。
【００８０】
これにより、このランドへの記録を禁止することによって、ディスク識別データのトラブルを避けることができる。
また、マスタリング工程で記録するディスク識別データは、読出し専用のディスク（ＲＯＭディスク）と同様のフォーマットにし、アドレス部はなくても良い。
【００８１】
【発明の効果】
以上詳述したように、この発明によれば、同心円状あるいはスパイラル状のグルーブおよびランドの記録トラックを交互に有する光ディスクに対して、それらのグルーブおよびランドの両方にＥＣＣブロックデータ単位でデータが記録され、その記録されたデータをＥＣＣブロックデータ単位で再生することができる光ディスク装置を提供できる。
【図面の簡単な説明】
【図１】この発明の一実施例を説明するためのカッティング装置の概略構成を示すブロック図。
【図２】ＥＣＣブロックのフォーマットデータを説明するための図。
【図３】ＥＣＣブロック用の同期コードを付与した記録用のＥＣＣブロックのフォーマットデータを説明するための図。
【図４】再生専用の光ディスクにおける記録マーク（ピット）の形成例を示す図。
【図５】再生専用の光ディスクにおけるデータの記録例を示す図。
【図６】ＥＣＣブロックアドレス（ヘッダ部）の構成例を示す図。
【図７】グルーブとランドにデータが記録される記録、再生用の光ディスクにおけるデータの記録例を示す図。
【図８】ヘッダ部のプリフォーマットデータを説明するための図。
【図９】グルーブとランドにデータが記録される記録、再生用の光ディスクにおける記録マークの形成例を示す図。
【図１０】光ディスク装置の概略構成を示すブロック図。
【図１１】データ再生回路の概略構成を示すブロック図。
【図１２】トラッキング制御回路の概略構成を示すブロック図。
【図１３】動作を説明するためのフローチャート。
【符号の説明】
１ａ、１ｂ、１ｃ…ガラス基板
５…光ディスク
１０…対物レンズ
１１、１２…駆動コイル
１３…レーザ制御回路
１４…データ生成回路
１８…データ再生回路
２４…光検出器
ＯＰ１…差動増幅器
２８…トラッキング制御回路
３０…ＣＰＵ
３２…エラー訂正回路
３３…メモリ
５１、５２、５３…光ディスク
【図１】
0003707833.tif 000002
【図２】
0003707833.tif 000003
【図３】
0003707833.tif 000004
【図４】
0003707833.tif 000005
【図５】
0003707833.tif 000006
【図６】
0003707833.tif 000007
【図７】
0003707833.tif 000008
【図８】
0003707833.tif 000009
【図９】
0003707833.tif 000010
【図１０】
0003707833.tif 000011
【図１１】
0003707833.tif 000012
【図１２】
0003707833.tif 000013
【図１３】
0003707833.tif 000014